(57)【特許請求の範囲】
【請求項１】
無線通信システムにおけるユーザ機器（ＵＥ）のために、アップリンク・アクノレッジメント（ＡＣＫ）リソースを割り当てる方法であって、
複数のデータ送信のための継続的な通信リソースの割当が確立されるべきＵＥを識別することと、
前記識別されたＵＥによって使用されるアップリンクＡＣＫリソースを識別することと、
前記識別されたアップリンクＡＣＫリソースの明示的な割当を、前記継続的な通信リソースの割当とともに、前記継続的な通信リソースの割当にしたがう複数のデータ送信のおのおのごとにアップリンクＡＣＫリソースの割当を送信せずに、前記ＵＥへ通信することと
を備える方法。
【請求項２】
前記通信することは、前記識別されたアップリンクＡＣＫリソースに対応するアップリンクＡＣＫインデクスを、レイヤ２（Ｌ２）シグナリングによって、ダウンリンク制御チャネルで通信することを備える請求項１に記載の方法。
【請求項３】
前記通信することは、前記識別されたアップリンクＡＣＫリソースに対応するアップリンクＡＣＫインデクスを、レイヤ３（Ｌ３）シグナリングによって、ダウンリンク・データ・チャネルのメッセージで通信することを備える請求項１に記載の方法。
【請求項４】
１または複数の継続的なリソース割当を持つ１または複数の第１のＵＥと、１または複数の制御チャネルによってスケジュールされた１または複数の第２のＵＥとのために、アップリンクＡＣＫリソースを割り当てることをさらに備える請求項１に記載の方法。
【請求項５】
前記割り当てることは、前記１または複数の第１のＵＥのためのアップリンクＡＣＫリソースのための第１のリソース・プールと、前記１または複数の第２のＵＥのためのアップリンクＡＣＫリソースのための第２のリソース・プールとを生成することを備える請求項４に記載の方法。
【請求項６】
前記第１のリソース・プールを生成することは、前記第１のリソース・プールのために１または複数の全てのリソース・ブロックを割り当てることを備え、
前記第２のリソース・プールを生成することは、前記第２のリソース・プールのために１または複数の全てのリソース・ブロックを割り当てることを備える請求項５に記載の方法。
【請求項７】
前記第１のリソース・プールを生成することは、前記第１のリソース・プールのために利用可能なアップリンクＡＣＫリソースの第１の部分を割り当てることを備え、
前記第２のリソース・プールを生成することは、前記第２のリソース・プールのために、前記第１の部分とは別の前記利用可能なアップリンクＡＣＫリソースの第２の部分を割り当てることを備える請求項５に記載の方法。
【請求項８】
前記１または複数の第１のＵＥへの前記１または複数の継続的なリソース割当をインデクスすることと、
前記１または複数の第２のＵＥをスケジュールするために利用される前記１または複数の制御チャネルをインデクスすることと、
前記第１のリソース・プールおよび前記第２のリソース・プールをインデクスすることと、
少なくとも部分的に、第１のＵＥへの継続的なリソース割当に関連付けられたインデクスを、前記第１のリソース・プール内のインデクスに一致させることによって、アップリンクＡＣＫリソースを前記第１のＵＥへ割り当てることと、
少なくとも部分的に、第２のＵＥをスケジュールする制御チャネルに関連付けられたインデクスを、前記第２のリソース・プール内のインデクスに一致させることによって、アップリンクＡＣＫリソースを前記第２のＵＥへ割り当てることと
をさらに備える請求項５に記載の方法。
【請求項９】
前記割り当てることは、前記１または複数の第１のＵＥと前記１または複数の第２のＵＥとによって共有されるアップリンクＡＣＫリソースの共通のプールを生成することを備える請求項４に記載の方法。
【請求項１０】
前記１または複数の第１のＵＥへの前記１または複数の継続的なリソース割当のための第１のインデクス・セットを保持することと、
前記１または複数の第２のＵＥをスケジュールするために利用される前記１または複数の制御チャネルのための第２のインデクス・セットを保持することと、
前記アップリンクＡＣＫリソースの共通のプール内のアップリンクＡＣＫリソースをインデクスすることと
をさらに備える請求項９に記載の方法。
【請求項１１】
少なくとも部分的に、前記第２のインデクス・セットに保持された制御チャネルのインデクスを第２のＵＥへ送信することによって、制御チャネルを用いてスケジュールされた前記第２のＵＥへアップリンクＡＣＫリソースを割り当てることをさらに備える請求項１０に記載の方法。
【請求項１２】
少なくとも部分的に、前記１または複数の第２のＵＥに割り当てられたアップリンクＡＣＫリソース量までオフセットされた第１のＵＥへの継続的なリソース割当のインデクスに対応するインデクスを有する前記アップリンクＡＣＫリソースの共通のプールから、アップリンクＡＣＫリソースを選択することによって、継続的なリソース割当を持つ前記第１のＵＥへアップリンクＡＣＫリソースを割り当てることをさらに備える請求項１０に記載の方法。
【請求項１３】
少なくとも部分的に、前記第２のインデクス・セットに保持された制御チャネルのインデクスと、前記１または複数の第１のＵＥへ割り当てられたアップリンクＡＣＫリソースの量によって決定されるオフセットとを第２のＵＥへ送信することによって、制御チャネルを用いてスケジュールされた前記第２のＵＥへアップリンクＡＣＫリソースを割り当てることをさらに備える請求項１０に記載の方法。
【請求項１４】
少なくとも部分的に、前記第１のＵＥへの継続的なリソース割当のインデクスに対応するインデクスを有する前記アップリンクＡＣＫリソースの共通のプールからアップリンクＡＣＫリソースを選択することによって、アップリンクＡＣＫリソースを、継続的なリソース割当を持つ前記第１のＵＥに割り当てることをさらに備える請求項１０に記載の方法。
【請求項１５】
無線通信装置であって、
アクノレッジメント（ＡＣＫ）リソースのセット、および、通信リソースが継続的に割り当てられるべき無線端末に関するデータを格納するメモリと、
前記無線端末によって使用されるべきＡＣＫリソースを、前記ＡＣＫリソースのセットから選択し、前記選択されたＡＣＫリソースの明示的な割当と、複数のデータ送信のためのダウンリンク通信リソースの継続的な割当とを、前記ダウンリンク通信リソースの継続的な割当にしたがう前記複数のデータ送信のおのおのごとにＡＣＫリソースの割当を送信せずに、前記無線端末へ通信するように構成されたプロセッサと
を備える無線通信装置。
【請求項１６】
前記プロセッサはさらに、前記選択されたＡＣＫリソースの前記明示的な割当を、レイヤ２（Ｌ２）シグナリングによって、ダウンリンク制御チャネルで通信するように構成された請求項１５に記載の無線通信装置。
【請求項１７】
前記プロセッサはさらに、前記選択されたＡＣＫリソースの前記明示的な割当を、レイヤ３（Ｌ３）シグナリングによって、ダウンリンク・データ・チャネルにおけるメッセージで通信するように構成された請求項１５に記載の無線通信装置。
【請求項１８】
前記プロセッサはさらに、１または複数の継続的なリソース割当を持つ１または複数の第１の無線端末と、１または複数の制御チャネルによってスケジュールされる場合、通信する１または複数の第２の無線端末とのために、ＡＣＫリソースのセットから、ＡＣＫリソースを割り当てるように構成された請求項１５に記載の無線通信装置。
【請求項１９】
前記プロセッサはさらに、１または複数の第１の無線端末のために、ＡＣＫリソースの第１のセットを割り当て、１または複数の第２の無線端末のために、ＡＣＫリソースの第２のセットを割り当てるように構成された請求項１８に記載の無線通信装置。
【請求項２０】
前記プロセッサはさらに、
前記１または複数の継続的なリソース割当を前記１または複数の第１の無線端末へインデクスし、
前記１または複数の第２の無線端末をスケジュールするために使用される前記１または複数の制御チャネルをインデクスし、
ＡＣＫリソースの第１のセットと、ＡＣＫリソースの第２のセットとのためのインデクスを保持し、
少なくとも部分的に、前記第１の無線端末に関連付けられた継続的なリソース割当のインデクスを、前記ＡＣＫリソースの第１のセットのインデクスへ一致させることによって、ＡＣＫリソースを前記第１の無線端末へ割り当て、
少なくとも部分的に、前記第２の無線端末のための制御チャネルのインデクスを、前記ＡＣＫリソースの第２のセットのインデクスへ一致させることによって、ＡＣＫリソースを前記第２の無線端末へ割り当てる
ように構成された請求項１９に記載の無線通信装置。
【請求項２１】
前記プロセッサはさらに、前記１または複数の第１の無線端末と、前記１または複数の第２の無線端末とのために、ＡＣＫリソースの共有されたセットを割り当てるように構成された請求項１８に記載の無線通信装置。
【請求項２２】
前記プロセッサはさらに、
前記１または複数の継続的なリソース割当を、前記１または複数の第１の無線端末へインデクスし、
前記１または複数の第２の無線端末をスケジュールするために使用される前記１または複数の制御チャネルをインデクスし、
前記ＡＣＫリソースの共有されたセットのためのインデクスを保持するように構成された請求項２１に記載の無線通信装置。
【請求項２３】
前記メモリはさらに、制御チャネルによって提供されたスケジュールにしたがって通信する第２の無線端末に関連するデータを格納する請求項２２に記載の無線通信装置。
【請求項２４】
前記メモリはさらに、制御チャネルによってスケジュールされた第２の無線端末の数と、継続的なリソース割当を持つ第１の無線端末に関するデータを格納し、
前記プロセッサはさらに、前記第２の無線端末の数および前記第１の無線端末に割り当てられた継続的なリソース割当のインデクスに基づいてＡＣＫリソースの共有されたセットから、前記第１の無線端末のためのＡＣＫリソースを選択するように構成された請求項２２に記載の無線通信装置。
【請求項２５】
前記メモリはさらに、制御チャネルによって提供されたスケジュールにしたがって通信する第２の無線端末に関連するデータと、継続的なリソース割当を有する第１の無線端末の数とを格納し、
前記プロセッサはさらに、前記第１の無線端末の数を、前記第２の無線端末へ送信するように構成された請求項２２に記載の無線通信装置。
【請求項２６】
前記メモリはさらに、継続的なリソース割当を有する第１の無線端末に関するデータを格納し、
前記プロセッサはさらに、前記ＡＣＫリソースの共有されたセットから、前記第１の無線端末のためのＡＣＫリソースを選択し、前記選択されたＡＣＫリソースを示すインジケーションを前記第１の無線端末へ明示的にシグナルするように構成された請求項２２に記載の無線通信装置。
【請求項２７】
無線通信システムにおいてアクノレッジメント・リソースの割当を容易にする装置であって、
複数のデータ送信のための継続的な通信リソースの割当が通信されるべきアクセス端末のためのアクノレッジメント・リソースを識別する手段と、
前記識別されたアクノレッジメント・リソースの明示的な割当を、前記継続的な通信リソースの割当にしたがう前記複数のデータ送信のおのおのごとにアクノレッジメント・リソースの割当を送信せずに、前記継続的な通信リソースの割当とともに、前記アクセス端末へ通信する手段と
を備える装置。
【請求項２８】
第１のリソース・プールから、前記継続的な通信リソースの割当を有する前記アクセス端末のためのアクノレッジメント・リソースを割り当てる手段と、
第２のリソース・プールから、スケジュールされたアクセス端末のためのアクノレッジメント・リソースを割り当てる手段と
をさらに備える請求項２７に記載の装置。
【請求項２９】
共通のリソース・プールから、スケジュールされたアクセス端末と、前記継続的な通信リソースの割当を有する前記アクセス端末のためにアクノレッジメント・リソースを割り当てる手段をさらに備える請求項２７に記載の装置。
【請求項３０】
コンピュータ読取可能媒体であって、
コンピュータに対して、無線通信システムにおける複数のデータ送信のための継続的なリソース割当を有するユーザのためにアクノレッジメント（ＡＣＫ）リソースを割り当てさせるためのコードと、
前記コンピュータに対して、前記割り当てられたＡＣＫリソースのための明示的な割当および前記継続的なリソース割当を、前記継続的なリソース割当にしたがう前記複数のデータ送信のおのおのごとにＡＣＫリソースの割当を送信せずに、前記ユーザへ送信させるためのコードと
を備えるコンピュータ読取可能媒体。
【請求項３１】
前記コンピュータに対して、無線通信システムにおけるユーザのためにアクノレッジメント（ＡＣＫ）リソースを割り当てさせるためのコードは、
前記コンピュータに対して、スケジュールされた通信リソースを有するユーザのためにＡＣＫリソースを割り当てるために使用される第２のリソース・プールとは別の第１のリソース・プールから、前記継続的なリソース割当を有する前記ユーザのためのＡＣＫリソースを割当させるためのコードを備える請求項３０に記載のコンピュータ読取可能媒体。
【請求項３２】
前記コンピュータに対して、無線通信システムにおけるユーザのためにアクノレッジメント（ＡＣＫ）リソースを割り当てさせるためのコードは、
前記コンピュータに対して、スケジュールされた通信リソースを有するユーザと、継続的に割り当てられた通信リソースを有するユーザとのためにＡＣＫリソースを割り当てるために使用される共通リソース・プールから、前記継続的なリソース割当を有する前記ユーザのためのＡＣＫリソースを割り当てさせるためのコードを備える請求項３０に記載のコンピュータ読取可能媒体。
【請求項３３】
アップリンク・アクノレッジメント（ＡＣＫ）送信のためのリソースを調整するためのコンピュータ実行可能な命令群を実行する集積回路であって、
前記命令群は、
ダウンリンク通信リソースが継続的に割り当てられるべきユーザ機器（ＵＥ）のために、アップリンクＡＣＫ送信のためのリソースを決定することと、
前記決定されたＡＣＫリソースの割当を前記ＵＥへ、および複数のデータ送信のためのダウンリンク通信リソースの継続的な割当を、前記ダウンリンク通信リソースの継続的な割当にしたがう前記複数のデータ送信のおのおのごとにＡＣＫリソースの割当を送信せずに、前記ＵＥへ送信することとを備える集積回路。
【請求項３４】
前記命令はさらに、
１または複数の継続的なリソース割当を持つ１または複数の第１のＵＥに対応するアップリンクＡＣＫ送信のための第１のリソースのプールを識別することと、
スケジュールされたダウンリンク通信リソースを利用する１または複数の第２のＵＥに対応するアップリンクＡＣＫ送信のための第２のリソースのプールを識別することと
を備える請求項３３に記載の集積回路。
【請求項３５】
前記命令はさらに、１または複数の継続的なリソース割当を有する１または複数の第１のＵＥと、スケジュールされたダウンリンク通信リソースを利用する１または複数の第２のＵＥとに対応するアップリンクＡＣＫ送信のための共通のリソースのプールを識別することを備える請求項３３に記載の集積回路。
【発明の詳細な説明】
【相互参照】
【０００１】
本願は、２００７年５月４日に出願され"A METHOD AND APPARATUS FOR ALLOCATING UL ACK"と題され、その全体が本明細書に参照によって組み込まれた米国仮出願６０／９１６，２３１号の利益を主張する。
【技術分野】
【０００２】
本開示は、一般に、無線通信に関し、さらに詳しくは、無線通信システムにおけるリソース割当に関する。
【背景技術】
【０００３】
無線通信システムは、例えば、音声、ビデオ・サービス、パケット・データ・サービス、ブロードキャスト・サービス、およびメッセージング・サービスのようなさまざまな通信サービスを提供するために広く開発されている。これらのシステムは、利用可能なシステム・リソースを共有することにより複数の端末のための通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含みうる。
【０００４】
通常、無線多元接続通信システムは、複数の無線端末のための通信を同時にサポートすることができる。そのようなシステムでは、おのおのの端末は、順方向リンクおよび逆方向リンクでの送信によって、１または複数の基地局と通信することができる。順方向リンク（すなわち、ダウンリンク）は、基地局から端末への通信リンクを称し、逆方向リンク（すなわち、アップリンク）は、端末から基地局への通信リンクを称する。この通信リンクは、単一入力単一出力（ＳＩＳＯ）システム、複数入力単一出力（ＭＩＳＯ）システム、あるいは複数入力複数出力（ＭＩＭＯ）システム等によって確立されうる。
【０００５】
無線通信システムにおけるダウンリンク通信は、ユーザ機器（ＵＥ）または端末に情報を送信することによって、ノードＢまたはアクセス・ポイントによって実行されうる。ダウンリンクでＵＥに情報が送信されることに応答して、ＵＥは、ノードＢによってＵＥに割り当てられたＡＣＫリソースを用いて、アップリンクでアクノレッジメント（ＡＣＫ）によりノードＢに応答することができる。しかしながら従来、無線通信システムにおけるＡＣＫリソースの割当は、相当なオーバヘッドを含んでいる。例えば、既存の技術は、アップリンクＡＣＫリソースが、ダウンリンク通信リソースへマップされうることを仮定しているが、もしも、ダウンリンク・リソースの相当な部分を、比較的少ないＵＥしか利用しないのであれば、この技術は、過度のオーバヘッドを要求していることになる。あるいは、ＡＣＫリソースの割当のためのその他の既存技術は、そのようなリソースを、それぞれのＵＥとの通信のために使用される制御チャネルへマップすることを含む。しかしながら、この技術は、例えば継続的なリソース割当にしたがって通信するＵＥのように、ノードＢとの通信のために制御チャネルを利用しないＵＥについて非効率的である。継続的に割り当てられたＵＥが、自己の通信機能のためにそれぞれの制御チャネルに依存するＵＥを備えたシステムにおいて動作する場合、さらに複雑化する。したがって、継続的なリソース割当に基づいて通信するＵＥをサポートする、ＡＣＫ割当のための低オーバヘッド技術に対するニーズがある。
【発明の概要】
【０００６】
以下は、そのような態様の基本的な理解を提供するために、権利主張された主題のさまざまな態様の簡略化された概要を示す。この概要は、考えられる全ての態様の広範な概観ではなく、そのような態様の重要要素や決定的要素を特定することでも、範囲を線引きすることでもないことが意図される。その唯一の目的は、開示された態様の幾つかの概念を、後に示されるより詳細な説明の前置きとして簡単な形式で示すことである。
【０００７】
態様によれば、本明細書では、無線通信システムにおけるユーザ機器（ＵＥ）のために、アップリンク・アクノレッジメント（ＡＣＫ）リソースを割り当てる方法が記述される。この方法は、継続的な通信リソースの割当が確立されるべきＵＥを識別することと、識別されたＵＥによって使用されるアップリンクＡＣＫリソースを識別することと、識別されたアップリンクＡＣＫリソースの割当を、継続的な通信リソースの割当とともにＵＥへ通信することとを備える。
【０００８】
別の態様は、ＡＣＫリソースのセットと、通信リソースが継続的に割り当てられるべき無線端末に関するデータを格納するメモリを備えた無線通信装置に関する。この無線通信装置はさらに、ＡＣＫリソースのセットから、無線端末によって使用されるべきＡＣＫリソースを選択し、かつ、選択されたＡＣＫリソースと、ダウンリンク通信リソースとがバンドルされた継続的な割当を、無線端末へ通信するように構成されたプロセッサを備える。
【０００９】
また、別の態様は、無線通信システムにおけるアクノレッジメント・リソースの割当を容易にする装置に関する。この装置は、継続的な通信リソースの割当が通信されるべきアクセス端末のためのアクノレッジメント・リソースを識別する手段と、識別されたアクノレッジメント・リソースの明確な割当を、継続的な通信リソースの割当を有するアクセス端末へ通信する手段とを備えうる。
【００１０】
また別の態様は、コンピュータ読取可能媒体に関する。このコンピュータ読取可能媒体は、コンピュータに対して、無線通信システムにおけるユーザのためにＡＣＫリソースを割り当てさせるためのコードと、コンピュータに対して、ユーザのための継続的なリソース割当と、割り当てられたＡＣＫリソースの割当とをバンドルさせるためのコードとを備えうる。
【００１１】
さらなる態様は、アップリンクＡＣＫ送信のためのリソースを調整するコンピュータ実行可能な命令群を実行する集積回路に関する。これらの命令群は、アップリンクＡＣＫ送信のためのリソースの１または複数のプールを識別することと、ダウンリンク通信リソースが継続的に割り当てられるべきＵＥのために、アップリンクＡＣＫ送信のためのリソースを決定することと、決定されたＡＣＫリソースを、ダウンリンク通信リソースのための継続的な割当によって、ＵＥへ割り当てることとを備えうる。
【００１２】
別の態様によれば、本明細書では、無線通信システムにおいて、割り当てられたアクノレッジメント・リソースを識別するための方法が記述される。この方法は、ノードＢから受信した情報からインデクスを受け取ることと、ノードＢから受信した情報からオフセットを識別することと、受け取ったインデクスに、識別したオフセットを加えたものに対応するインデクスを有する、インデクスされたアクノレッジメント・プールにおけるアクノレッジメント・リソースを利用するアクノレッジメント通信を設定することとを備えうる。
【００１３】
また別の態様によれば、本明細書では、アクセス・ポイントから受信したインデクスおよびインデクス・オフセットに関するデータを格納するメモリを備えうる無線通信装置が記載される。この無線通信装置はさらに、インデクスとインデクス・オフセットとを加えた結果得られるインデクスを取得し、取得されたインデクスに対応するアクノレッジメント・リソースの割り当てられたセットからのアクノレッジメント・リソースを利用するように構成されたプロセッサを備えうる。
【００１４】
別の態様は、無線アクセス・ポイントとの通信のためのアップリンクＡＣＫリソースを決定することを容易にする装置に関する。この装置は、無線アクセス・ポイントから受信した情報から、継続的に割り当てられたユーザのインデクスおよび数を受け取り、少なくとも部分的に、受け取ったインデクスに、継続的に割り当てられたユーザの数を加えたものに対応するインデクスを有するリソース・プールからＡＣＫリソースを識別することによって、無線アクセス・ポイントとの通信のためのアップリンクＡＣＫリソースを決定する手段を備える。
【００１５】
また別の態様は、コンピュータ読取可能媒体に関する。このコンピュータ読取可能媒体は、コンピュータに対して、ノードＢによって通信されたインデクスを識別させるためのコードと、コンピュータに対して、ノードＢによって通信されたオフセット値を識別させるためのコードと、コンピュータに対して、識別されたインデクスを、識別されたオフセット値オフセットさせ、オフセット・インデクスを生成させるためのコードと、コンピュータに対して、このオフセット・インデクスに少なくとも部分的に基づいて、アクノレッジメント送信のためのリソースを利用させるためのコードとを備えうる。
【００１６】
さらなる態様は、無線通信システムにおいてアップリンクＡＣＫ通信のために割り当てられたラジオ・スペクトルを識別するためのコンピュータ実行可能な命令群を実行する集積回路に関する。これら命令群は、ラジオ・スペクトルの割り当てられたサブセットに対応するインデクスを受け取ることと、無線通信システム内に存在する継続的なリソース割当に関する情報を受け取ることと、受け取ったインデクスを、無線通信システム内の継続的なリソース割当に関する情報に基づいてオフセットさせ、アップリンクＡＣＫ通信のために割り当てられたラジオ・スペクトルのサブセットに対応するインデクスを取得することとを備える。
【００１７】
前述した目的および関連する目的を達成するために、権利主張された主題の１または複数の態様は、後に十分に記載され特に請求項において指摘される特徴を備えている。以下の記載および添付図面は、権利主張された主題のある例示的な態様を詳細に述べている。しかしながら、これらの態様は、権利主張された主題の原理が適用されるさまざまな方法のうちのほんの僅かを示すに過ぎない。しかしながら、開示された態様は、そのような態様およびその等価物の全てを含むことが意図される。
【図面の簡単な説明】
【００１８】
【図１】図１は、本明細書に記載されたさまざまな態様にしたがった無線多元接続システムを例示する。
【図２】図２は、さまざまな態様にしたがって無線通信システム内で実行される通信の例を例示する。
【図３】図３は、さまざまな態様にしたがったアクノレッジメント・リソース割当技術の例を例示する。
【図４】図４は、さまざまな態様にしたがって無線通信システム内で実行される通信の例を例示する。
【図５】図５は、さまざまな態様にしたがったアクノレッジメント・リソース割当技術の例を例示する。
【図６】図６は、さまざまな態様にしたがったアクノレッジメント・リソース割当技術の例を例示する。
【図７】図７は、さまざまな態様にしたがったアクノレッジメント・リソース割当技術の例を例示する。
【図８】図８は、継続的なリソース割当を有するユーザのためにアクノレッジメント・リソースを割り当てる方法論のフロー図である。
【図９】図９は、継続的なリソース割当を利用する端末、および、スケジュールされたリソースを用いる端末それぞれのためのアクノレッジメント・リソース割当のためのフロー図である。
【図１０】図１０は、継続的なリソース割当を利用する端末、および、スケジュールされたリソースを用いる端末それぞれのためのアクノレッジメント・リソース割当のためのフロー図である。
【図１１】図１１は、ノードＢから受信した情報に基づいてアクノレッジメント・リソースを決定する方法論のフロー図である。
【図１２】図１２は、本明細書に記載されたさまざまな態様が動作する無線通信システムの例を例示するブロック図である。
【図１３】図１３は、さまざまな態様にしたがってアップリンク・アクノレッジメント・リソースの割当を調整するシステムのブロック図である。
【図１４】図１４は、さまざまな態様にしたがって、アクノレッジメント・リソースの識別情報と、それによる通信を調整するシステムのブロック図である。
【図１５】図１５は、アクノレッジメントの通信のためのリソースを割り当てることを容易にする装置のブロック図である。
【図１６】図１６は、受信したインデクス情報から、アクノレッジメントの通信のために使用されるリソースを決定することを容易にする装置のブロック図である。
【発明を実施するための形態】
【００１９】
権利主張された主題のさまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、１または複数の態様の記載を容易にするために、周知の構成およびデバイスがブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２１】
さらに、本明細書ではさまざまな態様が、無線端末および／または基地局に関連して記載される。無線端末は、音声および／またはデータの接続をユーザに提供するデバイスを称しうる。無線端末は、例えばラップトップ・コンピュータまたはデスクトップ・コンピュータのようなコンピュータ・デバイスに接続されうるか、あるいは、例えばパーソナル・デジタル・アシスタント（ＰＤＡ）のような自律型デバイスでありうる。無線端末はまた、システム、加入者ユニット、加入者局、モバイル局、モバイル、遠隔局、アクセス・ポイント、遠隔端末、アクセス端末、ユーザ端末、ユーザ・エージェント、ユーザ・デバイス、またはユーザ機器とも称されうる。無線端末は、加入者局、無線デバイス、セルラ電話、ＰＣＳ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは、無線モデムに接続されたその他の処理デバイスでありうる。基地局（例えば、アクセス・ポイント）は、１または複数のセクタを介して無線端末とエア・インタフェースで通信するアクセス・ネットワークにおけるデバイスを称しうる。基地局は、受信したエア・インタフェース・フレームをＩＰパケットへ変換することによって、無線端末と、インターネット・プロトコル（ＩＰ）ネットワークを含みうるアクセス・ネットワークのその他との間のルータとして動作することができる。基地局はまた、エア・インタフェースのための属性の管理を調整することができる。
【００２２】
さらに、本明細書に記載の様々な態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。
【００２３】
本明細書に記載されたさまざまな技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば交換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実施することができる。ＯＦＤＭＡシステムは、例えばイボルブドＵＴＲＡ（Ｅｖｏｌｖｅｄ  ＵＴＲＡまたはＥ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。さらに、ＣＤＭＡ２０００およびＵＭＢは、「第３世代パートナシップ計画２」（３ＧＰＰ２）からの文書に記載されている。
【００２４】
さまざまな態様が、多くのデバイス、構成要素、モジュール等を含むシステムの観点から説明される。さまざまなシステムは、追加のデバイス、構成要素、およびモジュール等を含んでいるか、および／または、図面に関連して説明されたデバイス、構成要素、モジュール等の全てを含んでいるわけではないことが理解され認識されるべきである。これらのアプローチの組み合わせもまた使用可能である。
【００２５】
図面に示すように、図１は、さまざまな態様にしたがった無線多元接続通信システムの例示である。一例において、アクセス・ポイント１００（ＡＰ）は、複数のアンテナ・グループを含んでいる。図１に例示するように、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。図１では、おのおののアンテナ・グループについて２つのアンテナしか例示されていないが、おのおののアンテナ・グループについて、これよりも多いあるいは少ないアンテナが適用されうる。別の例において、アクセス端末１１６（ＡＴ）は、アンテナ１１２、１１４と通信し、アンテナ１１２、１１４は、順方向リンク１２０でアクセス端末１１６に情報を送信し、逆方向リンク１１８でアクセス端末１１６から情報を受信する。さらに、および／または、その代わりに、アクセス端末１２２はアンテナ１０４、１０６と通信しうる。ここでは、アンテナ１０４、１０６が、順方向リンク１２６でアクセス端末１２２に情報を送信し、逆方向リンク１２４でアクセス端末１２２から情報を受信する。周波数分割デュプレクス（ＦＤＤ）システムでは、通信リンク１１８、１２０、１２４、１２６は、通信のために異なる周波数を使用することができる。例えば、順方向リンク１２０は、逆方向リンク１１８によって使用されるものとは異なる周波数を使用することができる。
【００２６】
通信するように設計された領域および／またはアンテナのグループのおのおのは、アクセス・ポイントのセクタと称される。一態様によれば、アンテナ・グループは、アクセス・ポイント１００によってカバーされる領域のセクタ内のアクセス端末と通信するように設計される。順方向リンク１２０、１２６による通信では、アクセス・ポイント１００の送信アンテナは、他のアクセス端末１１６、１２２の順方向リンクの信号対雑音比を改善するために、ビームフォーミングを利用する。さらに、有効範囲にわたってランダムに散在するアクセス端末へ送信するためにビームフォーミングを用いるアクセス・ポイントは、近隣セル内の全てのアクセス端末へ単一のアンテナによって送信しているアクセス・ポイントよりも、近隣セル内のアクセス端末へ少ない干渉しかもたらさない。
【００２７】
例えばアクセス・ポイント１００のようなアクセス・ポイントは、端末と通信するために使用される固定局であり、基地局、ノードＢ、アクセス・ネットワーク、および／または、その他の適切な用語で称されうる。さらに、例えばアクセス端末１１６、１２２のようなアクセス端末は、モバイル端末、ユーザ機器（ＵＥ）、無線通信デバイス、端末、無線端末、および／または、その他任意の用語で称されうる。
【００２８】
図２は、本明細書に記載されたさまざまな態様にしたがって無線通信システム内で実行される通信の例を例示するブロック図２０２、２０４である。一例において、ブロック図２０２、２０４によって例示された無線通信システムは、アクセス・ポイント（ＡＰ）２１０およびアクセス端末（ＡＴ）２２０を含んでいる。ＡＰ２１０およびＡＴ２２０は、それぞれブロック図２０２および２０４に示されるように、順方向リンクおよび逆方向リンクで通信しうる。本明細書で使用され、当該技術分野において一般的であるように、順方向リンク（すなわちダウンリンク）は、ＡＰからＡＴへの通信リンクを称し、逆方向リンク（すなわちアップリンク）は、ＡＴからＡＰへの通信を称する。さらに、図解２０２、２０４は、単一のＡＰ２１０と単一のＡＴ２２０との間の通信を例示しているが、図解２０２、２０４によって例示されるような通信は、任意の適切な数のＡＰ２１０および／またはＡＴ２２０の間で実行されうることが認識されるべきである。
【００２９】
一態様によれば、図解２０２は、ＡＰ２１０からＡＴ２２０へのダウンリンク通信を例示する。図解２０２によって例示されているように、ＡＰ２１０は、ダウンリンクで、ＡＴ２２０へ、データ、制御シグナリング、および／または、その他の適切な情報を通信することができる。さらに、ＡＰ２１０は、ダウンリンクでＡＰによって送信された対応する情報に応答して、アップリンクで、ＡＴ２２０によって使用されるアクノレッジメント（ＡＣＫ）リソースの割当を送信する。一例において、ＡＣＫリソース割当は、対応する情報とともに共通の時間インタバルでＡＰ２１０によって送信されるか、あるいは、異なる時間インタバルで送信される。さらに、および／または、その代わりに、アップリンクＡＣＫリソースは、物理ダウンリンク制御チャネル（ＰＤＣＣＨ）によって利用される最初の制御チャネル要素（ＣＣＥ）でありうる対応するＰＤＣＣＨインデクスにリンクすることによって暗黙的に割り当てられうる。
【００３０】
図解２０２に例示されるように、ダウンリンクで受信されたＡＣＫ割当に基づいて、ＡＴ２２０は、図解２０４に例示されるように、ダウンリンクでＡＴ２２０へ通信された情報に応答して、ＡＰ２１０へＡＣＫを送り戻す。ＡＴ２２０によって送信されたＡＣＫは、情報が正しく受信されたとのアクノレッジメント、情報が正しく受信されなかったことを示すインジケーション（例えば、否定的なＡＣＫまたはＮＡＣＫ）、および／または、その他任意の適切なインジケーションでありうる。
【００３１】
一態様によれば、図解２０２乃至２０４によって例示されるシステムは、ＡＴ２２０によるアップリンクでの通信が、予め定められ予め割り当てられたリソースで実行される直交アップリンクを利用しうる。一例において、ＡＰ２１０は、ＡＴ２２０によってアップリンクで使用されるリソースを割り当て、図解２０２に例示するように、これら割り当てられたリソースの割当をＡＴ２２０に通信しうる。一例によれば、ＡＰ２１０によって割り当てられたリソースは、関連する通信システムによって使用されるラジオ・スペクトルのうちの予め定めた部分を占有しうる。さらに、および／または、その代わりに、周波数スペクトルの同じ部分を占有するリソースが、複数のＡＴ２２０に割り当てられうる。そのような例では、ラジオ・スペクトルの共通部分から複数のＡＴ２２０によって送信された信号のユニークな識別を容易にするために、例えばＣＤＭＡのような技術が使用されうる。
【００３２】
別の態様によれば、ＡＴ２２０によって使用されるために、ＡＰ２１０によって割り当てられたＡＣＫリソースがさまざまな方法で割り当てられる。例えば、ＡＣＫリソースは、図３の図解３００に示すように、ダウンリンク仮想リソースからアップリンクＡＣＫリソースへのマッピングを実行することによって割り当てられうる。図解３００が例示するように、所与のＡＴにおけるＡＣＫ送信のために割り当てられるリソースは、情報がＡＴへダウンリンクで通信される１または複数の対応するリソース・ブロック（ＲＢ）へマップされうる。
【００３３】
図解３００がさらに例示するように、ダウンリンク仮想リソースのアップリンクＡＣＫリソースへのマッピングは、送信毎に割り当てられるＲＢの最小数によって除される、関連する通信システムによって利用されるＲＢの数に等しいオーバヘッドを招く。したがって、図解３００の具体的かつ限定しない例では、１つのＡＣＫ送信に対応するリソースのそれぞれのブロックは、ダウンリンク送信のために割り当てられたＲＢの対応するセットにマップされうる。ダウンリンク・リソースとアップリンクＡＣＫリソースとの間の関連性に基づいて、ＡＣＫリソースの割当は、関連するダウンリンクＲＢに関連する情報を提供することによって暗黙的になされうる。
【００３４】
しかしながら、図解３００によって例示されるマッピングは、相当な量のリソース・オーバヘッドを必要とすることが認識されうる。一例として、関連する通信システムの帯域幅全体が単一のユーザに割り当てられた場合、このユーザは、システム帯域幅におけるＲＢの全てのグループに対応するＡＣＫリソースも割り当てられるだろう。しかしながら、そのような場合、ユーザに割り当てられるのは１つのＡＣＫで十分であろうから、割り当てられた残りのＡＣＫリソースは冗長かつ不要になることが認識されるべきである。ダウンリンク空間分割多元接続（ＳＤＭＡ）の場合、複数のユーザが、同じＲＢのセットを共有しうることがさらに認識されるべきである。そのような場合におけるＲＢに対応してＡＣＫリソースが割り当てられた場合、複数のユーザが同じリソースのセットでＡＣＫ情報を送信することを試みる。これは衝突をもたらす。
【００３５】
この検討の結果、それぞれのユーザに割り当てられたＡＣＫリソースに関連付けられたオーバヘッド量を低減するために、別のＡＣＫ割当スキームが開発された。一つのそのような例では、それぞれのＡＣＫリソースを、それぞれのユーザのための通信リソースをスケジュールするために使用されるダウンリンク制御チャネルへマップすることによって、ＡＣＫリソースが割り当てられる。図２の図解２０２に例示するように、ＡＣＫリソースの割当は、特定のＡＴ２２０のためにスケジュールされた制御チャネルに基づいて通信されうる。一例において、制御チャネルは、送信リソースの位置決め、送信に利用される変調スキームおよび／または符号化スキームの識別等を容易にする情報を提供するために利用される。したがって、無線通信システムにおけるそれぞれのユーザは、一般に、一つのみの制御チャネルしか必要としない。この理由により、ＡＣＫリソースを制御チャネルへマップすることによって、ＡＣＫオーバヘッドは、通常の環境において特定のユーザが一つのみのＡＣＫしか受信しないことを保証することにより、図解３００によって例示されるマッピングと比べて低減される。さらに、ＡＣＫリソースをそれぞれの制御チャネルへマップすること、および、別のユーザを別の制御チャネルへ割り当てることは、ＳＤＭＡに関して上述した衝突問題を解決しうる。
【００３６】
しかしながら、制御チャネル・マッピングに基づくＡＣＫリソース割当が、リソース・ベースのマッピングに比べてオーバヘッドを低減することが理解される一方、制御チャネルＡＣＫマッピングは、継続的な「制御されていない」リソース割当にしたがって動作するユーザにとって非効率的であることもまた認識されうる。継続的なリソース割当にしたがったノードＢ４１０とＵＥ４２０との間の通信の例が、図４の図解４０２乃至４０４に例示されている。一例において、継続的なリソース割当にしたがう通信は、図解４０２に例示されているように開始され、継続的な割当が、ＵＥ４２０へ通信される。図４において使用されているように、ＵＥ４２０は、継続的なリソースの割当を受信するという事実により、「継続的なＵＥ」として示される。図解４０２によって例示されるような継続的な割当は、この割当後のダウンリンク通信のために、継続的なＵＥ４２０によって使用されるリソースを指定しうる。さらに、継続的な割当は、予め定めた継続期間の間（例えば、期間、フレーム数、等）、または、新たな継続的な割当が与えられるまで使用されうる。一例において、継続的な割当は、レイヤ２（Ｌ２）シグナリング、レイヤ３（Ｌ３）シグナリング、等を経由してＵＥ４２０へ通信されうる。
【００３７】
継続的なリソース割当が確立されると、ノードＢ４１０および継続的なＵＥ４２０は、その後、図解４０４によって例示されるような継続的な割当にしたがって通信しうる。一例において、ノードＢ４１０と継続的なＵＥ４２０との間の通信は、比較のために図解４０４に例示するように、ノードＢ４１０と、スケジュールされたＵＥ４３０との間の通信のために一般に必要とされるような、おのおののサブフレームにおけるダウンリンク・リソース割当および／または制御チャネル通信を必要とすることなく実行されうる。
【００３８】
一態様によれば、ＡＣＫリソースは、図解４０２および４０４によって例示されるように、継続的なＵＥ４２０によって使用されるべきＡＣＫリソースを明示的に割り当てることによって、および、継続的な割当および／または継続的な割当と同じように関連付けられた方法でＵＥ４２０へ割当を提供することによって、継続的なＵＥ４２０のために効率的な方法で割り当てられうる。ＡＣＫリソースの明示的な割当は、さまざまな方式でなされうる。例えば、ＡＣＫ送信のためにリソースの明示的な割当が、例えば物理ダウンリンク制御チャネル（ＰＤＣＣＨ）および／またはその他任意の適切なＬ２チャネルのような制御チャネルを介して、Ｌ２シグナリングでなされうる。そのような例では、ＡＣＫ送信のための物理リソースは、制御チャネル内部の継続的なスケジューリング割当において割り当てられうる。一態様によれば、この方式でＡＣＫ割当を行うことは、ＰＤＣＣＨおよび／またはその他のＬ２制御チャネル内でアップリンクＡＣＫインデクスまたは識別子を送信することによって達成されうる。
【００３９】
別の例では、アップリンクＡＣＫ送信のための物理リソースの明示的な割当が、例えば物理ダウンリンク共有チャネル（ＰＤＣＣＨ）および／またはその他任意の適切なＬ３チャネルのようなデータ・チャネルによるメッセージを介して、Ｌ３シグナリングによってなされうる。そのような例では、アップリンクＡＣＫ送信のための物理リソースは、データ・チャネル内の継続的なスケジューリング割当で割り当てられうる。一態様によれば、上述した例に記載されるようなＬ２シグナリングまたはＬ３シグナリングによるＡＣＫ割当の送信は、ダウンリンク継続リソース割当を、アップリンクＡＣＫ送信のためのアップリンク割当とともにグループ化することによってなされうる。
【００４０】
図５乃至７に移って、ＡＣＫ割当スキームのそれぞれの例が、本明細書で提供されたさまざまな態様にしたがって例示されている。一態様によれば、アップリンクにおける制御チャネルのためのリソース・オーバヘッドが、最小ＲＢサイズの倍数で提供される（例えば、１８０ｋＨｚまたは１２サブキャリア）。これら提供されたリソースを利用するアップリンク制御チャネルは、例えば、チャネル品質インジケータ（ＣＱＩ）送信等のようなその他さまざまなシグナリング送信のためのみならず、ＡＣＫ送信のためにも使用される。一例において、継続的なリソース割当にしたがうユーザは、一般的に前述したようなリソースの明示的な割当にしたがって、アップリンクで使用するための制御チャネル・リソースを取得しうる。一方、スケジュールされたユーザのためのアップリンク制御チャネル・リソースは、通信のために使用されるダウンリンク制御チャネルに基づいて、スケジュールされたそれぞれのユーザへ暗黙的に割り当てられうる。その結果、システムが、継続的なユーザと、スケジュールされたユーザとの両方を含む場合、これら異なる方式で割り当てられた制御チャネル・リソースは、互いにコンフリクトする恐れがあることが認識されうる。その結果、スケジュールされた割当と、継続的な割当とが、互いにオーバラップおよび／またはコンフリクトせずに共存することを可能にする一つの態様にしたがったリソース制御スキームが利用されうる。
【００４１】
一例において、継続的なユーザと、スケジュールされたユーザとの両方のためのコンフリクトのないＡＣＫリソース割当が、スケジュールされたユーザと、継続的なユーザとの両方のＡＣＫ送信のために割り当てられた物理リソースをインデクスすることによって達成される。リソースをインデクスすることによって、ノードＢおよび／またはノードＢが通信するユーザは、所与のユーザによるアップリンクＡＣＫ送信のために使用される物理リソースをユニークに確かめるために必要とされる情報を、容易に提供および／または決定できるようになる。ＡＣＫ送信のための物理リソースをインデクスするために利用されうる技術の例が、以下に与えられる。第１の例では、継続的な送信と、スケジュールされた送信とに、リソースが個別に割り当てられ、これによって、ＡＣＫ送信のためのリソースは、２つのタイプのユーザ間で共有されないようになる。第２の例では、アップリンクＡＣＫ送信のためのリソースのプールが、継続的な送信と、スケジュールされた送信とのために共有され、継続的なユーザとスケジュールされたユーザのために、共有インデクスが生成される。これらの例はともに、以下にさらに詳しく説明される。以下の説明では、Ｎｐは、送信時間インタバル（ＴＴＩ）における継続的な割当数を表すために使用され、Ｎｓは、ＴＴＩにおけるスケジュールされた割当数を表すために使用され、Ｎｔは、例えばＮｔ＝Ｎｐ＋Ｎｓであり、ＴＴＩにおけるリソースの合計割当数を表すために使用される。
【００４２】
図５は、上述したＡＣＫリソース割当の第１の例を例示する図解５００である。図解５００によって例示されるように、継続的な割当とスケジュールされた割当とのためのアップリンクＡＣＫ送信の物理リソースが、ばらばらに割り当てられうる。さらに詳しくは、アップリンクＡＣＫ送信のための第１の物理リソース・セット５１０と、第２の物理リソース・セット５２０とが、スケジュールされたユーザと、継続的なユーザそれぞれのためにそれぞれ割り当てられ、これによって、リソース・セット５１０、５２０が、スケジュールされたユーザと、継続的なユーザとの間で共有されないようになる。
【００４３】
一例において、リソース・セット５１０、５２０が、それぞれのＲＢ内で割り当てられ、これによって、リソース・セット５１０、５２０は、それぞれのＲＢの帯域幅全体を利用できるようになる。あるいは、リソース・セット５１０、５２０が、共通のＲＢの別々の部分として割り当てられる。これによって、例えば、スケジュールされたユーザのリソース・セット５１０は、ＡＣＫリソースの第１の部分を占有し、継続的なユーザのリソース・セット５２０は、ＡＣＫリソースの第２の部分を占有するようになる。あるいはその逆も可能である。一態様によれば、スケジュールされたユーザと、継続的なユーザとのために別々のインデクスを保持することによって、および、ユーザが継続的なユーザであるかスケジュールされたユーザであるかの判定と、対応するユーザのインデクスとに基づいて、リソース・セット５１０または５２０におけるＡＣＫリソースをユーザに割り当てることによって、個別に割り当てられたリソース・セット５１０、５２０からそれぞれのユーザへの割当がなされうる。
【００４４】
あるいは、図６乃至７は、上述したように、ＡＣＫリソースが共通のリソース・プールとして割り当てられるＡＣＫリソース割当の第２の例を例示するそれぞれの図解６００および７００を備える。図解５００によって例示される別々のリソース割当とは異なり、図解６００および７００は、アップリンクＡＣＫ送信のためのリソースの第１のセットが、継続的なユーザとスケジュールされたユーザとで共有される技術を例示することが認識されうる。一例において、共通のＡＣＫリソース・セットが、１または複数のＲＢとして割り当てられる。これによって、リソース・セットは、割り当てられたＲＢの帯域幅の全てまたは一部を使用できるようになる。
【００４５】
一態様によれば、ユーザは、まずシステム内のスケジュールされたユーザと、継続的なユーザとをグループ化することによって、割り当てられたそれぞれのＡＣＫリソースへ割り当てられうる。このグループ化に基づいて、スケジュールされたユーザのＡＣＫリソースは、図解６００および７００に例示するように、割り当てられたリソース・セットの第１の部分を利用し、継続的なユーザのＡＣＫリソースは、割り当てられたリソース・セットの第２の部分を利用する。また、この逆であってもよい。継続的なユーザとスケジュールされたユーザとに、統一されたインデクス・スキームが適用され、それぞれのユーザへのユニークに割り当てられたリソースを割り当てることが容易とされる。一例において、統一されたインデクスは、継続的なユーザおよびスケジュールされたユーザのグループのための個別のインデクスを保持することによって、および、他のユーザ・グループにおけるユーザ数に対応するユーザ・グループのうちの１つへオフセットを提供することによって達成されうる。これらおよびその他の例である技術が、以下に、より詳細に説明される。
【００４６】
図６に詳しく示すように、さまざまな態様にしたがって利用される共有ＡＣＫリソース・スケジューリング・スキームの具体例が、図解６００によって例示される。図解６００が例示するように、ＡＣＫ送信のための物理リソース・セット６１０が、継続的な割当を持つＮｐ人のユーザと、Ｎｓ（すなわち、Ｎｔ−Ｎｐ）人のスケジュールされたユーザとの間で共有される。図解６００によって例示する例では、継続的なユーザが、リソース・セット６１０の第１のサブセットを占有し、スケジュールされたユーザが、リソース・セット６１０の第２のサブセットを占有するようにユーザがグループ化される。
【００４７】
一態様によれば、ユーザには、対応するＡＣＫリソースの割当が基づくインデクスが与えられる。図解６００が例示するように、Ｎｐ人の継続的なユーザからなるグリープは、スケジュールされたユーザのグループが続くリソース・セット６１０内の第１のＡＣＫリソースを占有する。したがって、リソース・セット６１０内の第１のＮｐ個のＡＣＫリソースは、継続的なユーザによって占有されうること、および、以下に続くＮｔ−Ｎｐ個のＡＣＫリソースは、スケジュールされたユーザによって占有されうることが認識されうる。この検討に基づいて、インデクス付けは、継続的なユーザおよびスケジュールされたユーザのための個別のインデクスを保持することと、スケジュールされたそれぞれのユーザのインデクスにオフセットＮｐを加えることとによって達成されうる。したがって、一例では、継続的なユーザが、それぞれのインデクスにしたがってＡＣＫリソースを占有し、スケジュールされたユーザが、それぞれのインデクスにしたがって、次のＡＣＫリソースを占有することによって、スケジュールされた最初のユーザは、Ｎｐ番目の継続的なユーザ後の最初のＡＣＫリソースを占有するようになる。
【００４８】
一例において、ＡＣＫリソースの割当は、一般的に前述されたように、継続的なリソース割当に関連するユーザのインデクスに基づいて、継続的なユーザに対して明示的になされうる。さらに、および／または、その代わりに、それぞれのユーザのインデクスを、Ｎｐの値とともにユーザへ（例えば、ダウンリンク制御チャネルおよび／またはその他の適切な通信リンクまたはチャネルを経由して）提供することによって、スケジュールされたユーザに対して、ＡＣＫ割当が暗黙的になされうる。その結果、スケジュールされたユーザは、例えば、図解６００に例示するように、Ｎｐにインデクスを加えることによって、インデクスおよびＮｐの値を利用して、割り当てられたＡＣＫリソースを決定する。
【００４９】
次に図７に示すように、共有されたＡＣＫリソース・スケジューリング・スキームのその他の具体例が、図解７００によって例示される。図解７００が例示するように、ＡＣＫ送信の物理リソース・セット７１０が、Ｎｓ人のスケジュールされたユーザと、継続的な割当を持つＮｐ（すなわち、Ｎｔ−Ｎｓ）人のユーザとの間で共有される。図解７００によって例示される例では、ユーザがグループ化され、もって、スケジュールされたユーザが、リソース・セット７１０のうちの最初のリソースを占有し、継続的なユーザが、リソース・セット７１０のうちの残りのリソースを占有するようになる。
【００５０】
一態様によれば、ユーザは、図解６００に関して上述されたものと類似の方法によって、対応するＡＣＫリソースの割当が基づきうるインデクスが与えられうる。図解７００が例示するように、リソース・セット７１０内の最初のＮｓ個のＡＣＫリソースは、スケジュールされたユーザによって占有されることが可能であり、次のＮｔ−Ｎｓ個のＡＣＫリソースは、継続的なユーザによって占有されることが可能である。この検討に基づいて、スケジュールされたユーザと、継続的なユーザとについて別々のインデクスが保持され、オフセットＮｓが、継続的なユーザのそれぞれのインデクスへ加えられる。これによって、例えば、最初の継続的なユーザは、Ｎｓ番目のスケジュールされたユーザによって占有されるものの直後のリソースを占有するようになる。
【００５１】
一例において、（例えば、ダウンリンク制御チャネル、および／または、その他の適切な通信リンクまたはチャネルを経由して）ユーザにインデクスを提供することによって、ＡＣＫリソースのための割当が、スケジュールされたユーザに対して暗黙的になされ、これによって、ユーザのインデクスに対応するユーザによるＡＣＫリソースの使用が容易とされる。さらに、および／または、その代わりに、ＡＣＫリソース割当は、一般にユーザのインデクスに基づいて上述されたように、継続的なリソース割当に関して継続的なユーザに明示的になされうる。一例において、リソース・セット７１０内の継続的なユーザに割り当てられるべきＡＣＫリソースのインデクスは、図解７００に例示するように、継続的なユーザのインデクスに値Ｎｓを加えることによって、割当前に決定されうる。
【００５２】
図８乃至１１に移って、本明細書に記載のさまざまな態様にしたがって利用されうる方法論が例示される。説明を簡単にする目的で、これら方法論は一連の動作として図示され記載されているが、幾つかの動作は、１または複数の実施形態にしたがって、本明細書に図示され記載されたものとは異なる順序で、および／または、他の動作と同時に生じうるので、これらの方法論は、これら動作順によって限定されないことが理解され認識されるべきである。例えば、当業者であれば、方法論は、代わりに、例えば状態図のような相互関連する状態またはイベントのシリーズとして表されうることを理解するだろう。さらに、１または複数の態様にしたがって方法論を実現するために必ずしも例示された全ての動作が必要とされる訳ではない。
【００５３】
図８に示すように、無線通信システム（例えば、システム４００）において、継続的なリソース割当（例えば、継続的なＵＥ４２０）を持つユーザのためにアクノレッジメント・リソースを割り当てる方法論８００が例示されている。方法論８００は、例えば、ノードＢ（例えば、ノードＢ４１０）および／またはその他任意の適切なネットワーク・エンティティによって実行されうることが認識されるべきである。方法論８００は、ブロック８０２で始まり、継続的な通信リソースの割当が確立されるＵＥが識別される。一例において、有限期間または無限期間にわたって通信リソースを割り当てるために、継続的なリソース割当が、ブロック８０２において開始され、割り当てられたリソースによる通信が、制御チャネルの使用を必要とすることなく実行されうる。方法論８００はその後、ブロック８０４に進み、ブロック８０２において識別されたＵＥによって使用される通信リソースおよび対応するアップリンク・アクノレッジメント・リソースが識別される。ブロック８０４において実行されるようなアクノレッジメント・リソースの識別は、図解５００、６００、および／または、７００、および／または、その他任意の適切な方法によって例示されるようにして達成されうる。
【００５４】
ブロック８０４に記載する動作を完了すると、方法論８００は、ブロック８０４で識別されたアップリンク・アクノレッジメント・リソースと通信リソースとがバンドルされた継続的な割当が、ブロック８０２で識別されたＵＥへと通信される８０６において終了する。一態様によれば、バンドルされたリソース割当は、Ｌ２シグナリング、Ｌ３シグナリング、および／または、その他任意の適切な手段を用いてＵＥへ通信されうる。別の態様によれば、この方式によってアクノレッジメント・リソースを明示的に割り当てることによって、図解３００によって前述されたようなリソース・ベースの割当よりもより効率的であり、かつ、通信のために制御チャネルを利用しないＵＥによって利用されうるアクノレッジメント・リソース割当が容易とされる。
【００５５】
図９は、継続的なリソース割当を利用する端末（例えば、継続的なＵＥ４２０）と、スケジュールされたリソースを用いる端末（例えば、スケジュールされたＵＥ４３０）のためのアクノレッジ・リソース割当のための方法論９００を例示する。方法論９００は、例えば、基地局および／またはその他任意の適切なネットワーク・エンティティによって実行されうる。方法論９００は、ブロック９０２で始まり、ここでは、ＡＣＫ送信のために利用されるべきリソースが識別される。次に、ブロック９０４では、ブロック９０２で識別されたリソースが、継続的なリソース・プールおよびスケジュールされたリソース・プール（例えば、リソース・セット５１０および５２０）に分割される。一例において、ブロック９０２で識別されたリソースは、複数のＲＢを備えうる。そのような例では、ブロック９０４において実行される分割は、おのおののリソース・プールが、１または複数の全てのＲＢを利用できるように、識別されたＲＢを、リソース・プールの中で分割することを含みうる。さらに、および／または、その代わりに、ブロック９０４で実行される分割は、ブロック９０２において識別された単一のＲＢを、継続的なリソース・プールと、スケジュールされたリソース・プールとへ別々に分割することを含みうる。
【００５６】
ブロック９０４で記載された動作を終了すると、方法論９００は、ブロック９０６へ進み、通信リソースが割り当てられるべき端末が識別される。次に、ブロック９０８では、ブロック９０６で識別された端末が、継続的なリソース割当にしたがうかが判定される。もしもブロック９０６において識別された端末が、そのような割当にしたがうものとブロック９０８において判定された場合、方法論９００はブロック９１０に進み、ブロック９０４で生成された継続的なリソース・プールからの通信リソースと関連するＡＣＫリソースとがバンドルされた割当が、端末へ送信される。一態様によれば、継続的なリソース割当を持つ端末へのＡＣＫリソースの割当は、例えば方法論８００に関連して上述したように、ブロック９１０において送信されたバンドルされた送信と関連して明示的になされうる。一例において、バンドルされた割当は、Ｌ２シグナリング、Ｌ３シグナリング、および／または、その他任意の適切な手段を用いてブロック９１０において送信されうる。さらに、ブロック９１０において、バンドルされた割当で端末へ提供されたＡＣＫリソースが、図解５００に例示するような端末のインデクスに基づいて判定されうる。
【００５７】
あるいは、ブロック９０６で識別された端末が、継続的なリソース割当にしたがっていないと判定された場合、この端末は、スケジュールされた端末であるとみなされうる。これにしたがって、方法論９００は、ブロック９１２に進み、ここでは、ブロック９０４で生成されたスケジュールされたリソース・プールからのＡＣＫリソースが、制御チャネルによる通信を介して端末へ割り当てられる。一例において、ＡＣＫリソースは、ブロック９１２において、図解５００に例示するように、関連する端末が通信する制御チャネルのインデクスに基づいて暗黙的に割り当てられうる。
【００５８】
図１０に移って、継続的なユーザとスケジュールされたユーザとのためのアクノレッジメント・リソース割当のための方法論１０００が例示される。方法論１０００は、例えば、アクセス・ポイントおよび／またはその他任意の適切なネットワーク・エンティティによって実行されうる。方法論１０００は、ブロック１００２で始まり、ここでは、アップリンクＡＣＫ送信のために利用されるべきリソースが識別されインデクスされる。一態様によれば、リソースは、ブロック１００２において、図解６００および７００によって例示されるように、継続的なユーザと、スケジュールされたユーザとの間で共有される単一のリソース・プールとして識別および／またはインデクスされうる。さらに、継続的なユーザとスケジュールされたユーザとのためのＡＣＫリソースがプール内で一緒にグループ化されるように、継続的なユーザとスケジュールされたユーザのためのＡＣＫリソースがインデクスされうる。例えば、継続的なユーザのためのＡＣＫリソースが、グループ化およびインデクスされ、図解６００に例示するように、共通のリソース・プールの最初の部分を占有する。あるいは、スケジュールされたユーザのためのＡＣＫリソースが、グループ化およびインデクスされ、図解７００に例示するように、共通のリソース・プールの最初の部分を占有する。
【００５９】
次に、方法論１０００はブロック１００４に進み、ここでは、通信リソースが割り当てられるべき継続的なユーザおよび／またはスケジュールされたユーザ（例えば、継続的なＵＥ４２０および／またはスケジュールされたＵＥ４３０）のそれぞれがインデクスされる。一例では、ブロック１００４において、リソース・プールのためにブロック１００２において実行されたグループ化に類似した方法で継続的なユーザおよび／またはスケジュールされたユーザをグループ化することによって、ユーザにインデクスが割り当てられうる。方法論１０００はその後、ブロック１００６へ進み、リソース割当が通信されるべきユーザが選択される。次に、ブロック１００８において、ブロック１００６において識別されたユーザが継続的なユーザであるかが判定される。
【００６０】
ブロック１００８において肯定的な判定がなされると、方法論１０００はブロック１０１０へ進み、ここでは、オプションとして、スケジュールされたユーザ数と釣り合うユーザの（ブロック１００４において割り当てられた）インデクスに対応する（ブロック１００２において割り当てられた）インデクスを持つ、識別されたユーザのＡＣＫリソースが選択される。さらに詳しくは、継続的なユーザが、（例えば、図解６００によって例示されるように）プールの最初の部分を占有できるように、ブロック１００２においてリソース・プールが生成されるのであれば、選択されたＡＣＫリソースは、選択された継続的なユーザのインデクスに対応しうる。そうではなく、スケジュールされたユーザが、（例えば、図解７００によって例示されるように）プールの最初の部分を占有できるように、ブロック１００２においてリソース・プールが生成されるのであれば、選択されたＡＣＫリソースは、システム内のスケジュールされたユーザ数と釣り合う選択された継続的なユーザのインデクスに対応しうる。方法論１０００はその後、ブロック１０１２において終了し、ここでは、ブロック１０１０で選択されたＡＣＫリソースのための割当が、継続的なリソース割当とともにバンドルされ、選択されたユーザへ送信される。
【００６１】
一方、ブロック１００８において否定的な判定がなされると、選択されたユーザは、スケジュールされたユーザであると仮定されうる。したがって、方法論１０００は、ブロック１０１４において終了し、ここでは、選択されたスケジュールされたユーザのインデクスと、オプションとして、システム内の継続的なユーザ数とが、選択されたユーザへ送信され、これによって、対応するＡＣＫリソースがユーザに暗黙的に割り当てられる。例えば、（例えば図解７００によって例示するように）もしもスケジュールされたユーザが、ブロック１００２において生成されたリソース・プールの最初の部分を占有するのであれば、ブロック１００８において、システム内の継続的なユーザ数なしでインデクスが送信され、ユーザのスケジュールされたインデクスに対応するインデクスにおいて、選択されたユーザによるＡＣＫリソースの使用が容易とされる。一方、継続的なユーザが、（例えば、図解６００に例示するように）ブロック１００２で生成されたリソース・プールの最初の部分を占有するのであれば、システム内の継続的なユーザ数が、選択されたユーザに与えられ、これによって、選択されたユーザは、ユーザによって利用されるべきＡＣＫリソースのための正しいインデクスを識別できるようになり、もって、複数のユーザによって使用されるＡＣＫリソース間のオーバラップが阻止される。
【００６２】
図１１は、ノードＢ（例えば、ノードＢ４１０）から受信した情報に基づいてアクノレッジメント・リソースを決定するための方法論１１００を例示する。方法論１１００は、例えばＵＥ（例えば、スケジュールされたＵＥ４３０）および／またはその他任意の適切なネットワーク・エンティティによって実行されうることが認識されるべきである。方法論１１００は、ブロック１１０２で始まり、ここでは、ノードＢから受信した情報からインデクスが識別される。ブロック１１０２で受信されたインデクスは、ノードＢによって保持された方法論１１００を実行するエンティティのインデクス、方法論１１００を実行するエンティティティがノードＢと通信するめに用いる制御チャネルのインデクス、および／または、その他任意の適切な情報に対応する。一例において、ブロック１１０２において受信されたインデクスはさらに、ノードＢによって割り当てられた関連するＡＣＫリソース位置のインデクスに対応する。
【００６３】
方法論１１００はその後、ブロック１１０４へ進み、ここでは、方法論１１００を実行するエンティティが、ブロック１１０２で受信した情報から、システム内の継続的なユーザ数に対応するオフセットを識別することを試みる。次に、ブロック１１０６では、そのようなオフセットが識別されたかが判定される。オフセットが識別された場合、方法論１１００を実行するエンティティは、ＡＣＫリソースが、スケジュールされたユーザと継続的なユーザとの両方のために共有されたリソース・プールとして割り当てられたと推測することができる。これによって、継続的なユーザは、（例えば、図解６００によって例示されるように）リソース・プール内の下位にインデクスされたリソースを占有することができる。したがって、方法論１１００は、ブロック１１０８へ進み、ここでは、方法論１１００を実行するエンティティは、ブロック１１０２で受信されたインデクスに、ブロック１１０４で受信されたオフセットを加えたものに対応する位置において、ＡＣＫリソースのセットを利用するようにＡＣＫ通信を設定する。
【００６４】
一方、ブロック１１０６において、オフセットが識別されない場合、方法論１１００を実行するエンティティは、ＡＣＫリソースが（例えば、図解５００によって例示されるように）、スケジュールされたユーザ、および、継続的なユーザについて、別々のリソース・プール内に割り当てられたか、あるいは、（例えば、図解６００によって例示されるように）スケジュールされたユーザが下位にインデクスされたリソースを占有することができるように、スケジュールされたユーザおよび継続的なユーザのためのＡＣＫリソースが、共通のリソース・プール内に割り当てられたかを推論する。何れの場合であれ、方法論１１００は、ブロック１１１０へ進み、ここでは、方法論１１００を実行するエンティティは、ブロック１１０２において受信されたインデクスに対応するＡＣＫリソースのセットを利用するようにＡＣＫ通信を設定する。
【００６５】
図１２に示すように、本明細書に記載の１または複数の態様が機能する無線通信システム１２００の例を例示するブロック図が提供される。一例において、システム１２００は、送信機システム１２１０および受信機システム１２５０を含む複数入力複数出力（ＭＩＭＯ）システムである。しかしながら、送信機システム１２１０および／または受信機システム１２５０はまた、例えば、（例えば基地局における）複数の送信アンテナが、（例えばモバイル局のような）単一のアンテナ・デバイスへと１または複数のシンボル・ストリームを送信する複数入力複数出力システムにも適用されうることが認識されるべきである。さらに、本明細書に記載の送信機システム１２１０および／または受信機システム１２５０は、単一入力単一出力アンテナ・システムに関連しても利用されうることが認識されるべきである。
【００６６】
一態様によれば、送信機システム１２１０において、データ・ソース１２１２から送信（ＴＸ）データ・プロセッサ１２１４へと、多くのデータ・ストリームのためのトラフィック・データが提供される。一例において、おのおののデータ・ストリームは、その後、それぞれの送信アンテナ１２２４を経由して送信されうる。さらに、ＴＸデータ・プロセッサ１２１４は、符号化データを提供するために、おのおののデータ・ストリームのために選択された特定の符号化スキームに基づいて、おのおののデータ・ストリームのためのトラフィック・データをフォーマット、符号化、およびインタリーブしうる。一例において、おのおののデータ・ストリームの符号化データは、その後、ＯＦＤＭ技術を用いて、パイロット・データとともに多重化されうる。このパイロット・データは、例えば、周知の手法で処理される周知のデータ・パターンでありうる。さらに、パイロット・データは、チャネル応答を推定するために、受信機システム１２５０において使用されうる。送信機システム１２１０に戻って、おのおののデータ・ストリームについて多重化されたパイロットおよび符号化されたデータは、変調シンボルを提供するためにそれぞれのデータ・ストリームについて選択された特定の変調スキーム（例えば、ＢＰＳＫ、ＱＳＰＫ、Ｍ−ＰＳＫ、またはＭ−ＱＡＭ）に基づいて変調（すなわち、シンボル・マップ）されうる。一例において、おのおののデータ・ストリームのデータ・レート、符号化、および変調は、プロセッサ１２３０によって実行および／または提供される命令群によって決定されうる。
【００６７】
次に、全てのデータ・ストリームの変調シンボルが、ＴＸプロセッサ１２２０へ提供されうる。ＴＸプロセッサ１２２０はさらに、（例えば、ＯＦＤＭ用の）この変調シンボルをさらに処理しうる。その後、ＴＸ  ＭＩＭＯプロセッサ１２２０は、ＮＴ個の変調シンボル・ストリームを、ＮＴ個のトランシーバ１２２２ａ〜１２２２ｔへと提供しうる。一例において、おのおののトランシーバ１２２２は、１または複数のアナログ信号を提供するために、それぞれのシンボル・ストリームを受信して処理する。おのおののトランシーバ１２２２は、このアナログ信号をその後さらに処理（例えば、増幅、フィルタ、およびアップコンバート）して、ＭＩＭＯチャネルによる送信のために適した変調信号を提供する。したがって、トランシーバ１２２２ａ〜１２２２ｔからのＮＴ個の変調信号は、その後、ＮＴ個のアンテナ１２２４ａ〜１２２４ｔからそれぞれ送信されうる。
【００６８】
別の態様によれば、送信された変調信号は、ＮＲ個のアンテナ１２５２ａ〜１２５２ｒによって受信機システム１２５０において受信されうる。おのおののアンテナ１２５２からの受信信号は、その後、それぞれのトランシーバ１２５４へ提供されうる。一例において、おのおののトランシーバ１２５４は、それぞれ受信信号を調整（例えば、フィルタ、増幅、およびダウンコンバート）し、この調整された信号をデジタル化して、サンプルを提供する。その後、このサンプルを処理して、対応する「受信」シンボル・ストリームを提供する。ＲＸ  ＭＩＭＯ／データ・プロセッサ１２６０はその後、ＮＲ個のトランシーバ１２５４からＮＲ個のシンボル・ストリームを受信し、この受信したＮＲ個のシンボル・ストリームを、特定の受信機処理技術に基づいて処理して、ＮＴ個の「検出」シンボル・ストリームを提供する。一例において、おのおのの検出シンボル・ストリームは、対応するデータ・ストリームについて送信された変調シンボルの推定値であるシンボルを含みうる。その後、ＲＸプロセッサ１２６０が、おのおのの検出シンボル・ストリームを少なくとも部分的に、復調、デインタリーブ、および復号することによって、おのおののシンボル・ストリームを処理して、対応するデータ・ストリームのトラフィック・データを復元する。したがって、ＲＸプロセッサ１２６０による処理は、送信機システム１２１０におけるＴＸ  ＭＩＭＯプロセッサ１２２０およびＴＸデータ・プロセッサ１２１４によって実行されるものと相補的でありうる。ＲＸプロセッサ１２６０はさらに、処理されたシンボル・ストリームをデータ・シンク１２６４へ提供しうる。
【００６９】
一態様によれば、ＲＸプロセッサ１２６０によって生成されたチャネル応答推定値は、受信機における空間／時間処理の実行、電力レベルの調節、変調レートまたはスキームの変更、および／またはその他の適切な動作のために使用されうる。さらに、ＲＸプロセッサ１２６０は、検出シンボル・ストリームの例えば信号対雑音および干渉比（ＳＮＲ）のような、チャネル特性をさらに推定しうる。ＲＸプロセッサ１２６０はその後、推定されたチャネル特性をプロセッサ１２７０へ提供することができる。一例では、ＲＸプロセッサ１２６０および／またはプロセッサ１２７０はさらに、システムの「動作中の」ＳＮＲの推定値を導出することができる。その後、プロセッサ１２７０は、チャネル状態情報（ＣＳＩ）を提供することができる。ＣＳＩは、通信リンクおよび／または受信データ・ストリームに関する情報を備えうる。この情報は、例えば、動作中のＳＮＲを含みうる。ＣＳＩはその後、ＴＸデータ・プロセッサ１２１８によって処理され、変調器１２８０によって変調され、トランシーバ１２５４ａ〜１２５４ｒによって調整され、送信機システム１２１０へ送り戻される。さらに、受信機システム１２５０におけるデータ・ソース１２１６は、ＴＸデータ・プロセッサ１２１８によって処理される追加データを提供しうる。
【００７０】
送信機システム１２１０に戻って、受信機システム１２５０からの変調シンボルが、その後、アンテナ１２２４によって受信され、トランシーバ１２２２によって調整され、復調器１２４０によって復調され、ＲＸデータ・プロセッサ１２４２によって処理されて、受信機システム１２５０によって報告されるＣＳＩが復元される。一例において、この報告されるＣＳＩは、その後、プロセッサ１２３０へ提供され、１または複数のデータ・ストリームのために使用される符号化スキームおよび変調スキームのみならず、データ・レートを決定するために使用されうる。この決定された符号化スキームおよび変調スキームはその後、量子化、および／または、受信機システム１２５０への後の送信における使用のために、トランシーバ１２２２へ提供されうる。それに加えて、および／または、その代わりに、この報告されたＣＳＩは、ＴＸデータ・プロセッサ１２１４およびＴＸ  ＭＩＭＯプロセッサ１２２０のための様々な制御を生成するために、プロセッサ１２３０によって使用されうる。別の例において、ＲＸデータ・プロセッサ１２４２によって処理されたＣＳＩおよび／またはその他の情報は、データ・シンク１２４４へ提供されうる。
【００７１】
一例において、送信機システム１２１０におけるプロセッサ１２３０、および受信機システム１２５０におけるプロセッサ１２７０は、それぞれのシステムにおける動作を指示する。さらに、送信機システム１２１０におけるメモリ１２３２、および受信機システム１２５０におけるメモリ１２７２は、プロセッサ１２３０およびプロセッサ１２７０によってそれぞれ使用されるプログラム・コードおよびデータのためのストレージを提供することができる。さらに、受信機システム１２５０では、ＮＲ個の受信信号を処理して、ＮＴ個の送信シンボル・ストリームを検出するために、様々な処理技術が使用されうる。これらの受信機処理技術は、空間および空間／時間受信機処理技術を含みうる。これら技術はまた、等値化技術、および／または、「連続ヌルイング（nulling）／等値化および干渉キャンセル」受信機処理技術とも称される。「連続ヌルイング（nulling）／等値化および干渉キャンセル」受信機処理技術はまた、「連続干渉キャンセル」または「連続キャンセル」受信機処理技術とも称される。
【００７２】
図１３は、本明細書に記載されたさまざまな態様にしたがってアップリンク・アクノレッジメント・リソースの割当を調整するシステムのブロック図である。一例において、システム１３００は、基地局すなわちアクセス・ポイント１３０２を含んでいる。例示するように、アクセス・ポイント１３０２は、１または複数の受信（Ｒｘ）アンテナ１３０６を介して、１または複数のアクセス端末１３０４および／またはアクセス・ゲートウェイ（図示せず）から信号を受信し、１または複数の送信（Ｔｘ）アンテナ１３０８を介して、１または複数のアクセス端末１３０４および／またはアクセス・ゲートウェイへ送信する。
【００７３】
さらに、アクセス・ポイント１３０２は、受信アンテナ１３０６から情報を取得する受信機１３１０を備えうる。一例において、受信機１３１０は、受信した情報を復調する復調器（Ｄｅｍｏｄ）１３１２と動作可能に関連付けられうる。復調されたシンボルは、その後、プロセッサ１３１４によって分析されうる。プロセッサ１３１４は、メモリ１３１６に接続されうる。メモリ１３１６は、コード・クラスタ、アクセス端末割当、関連するルックアップ・テーブル、ユニークなスクランブリング・シーケンスに関連する情報、および／または、その他の適切なタイプの情報を格納しうる。一例において、アクセス・ポイント１３０２は、方法論８００、９００、１０００、および／または、その他の類似および適切な方法論を実行するためにプロセッサ１３１４を利用することができる。アクセス・ポイント１３０２はまた、送信アンテナ１３０８を介した送信機１３２０による送信のために、信号を多重化する変調器１３１８をも含みうる。
【００７４】
図１４は、本明細書に記載のさまざまな態様にしたがったアクノレッジメント・リソースの識別と、そこでの通信とを調整するシステムのブロック図である。一例において、システム１４００は、端末すなわちユーザ機器（ＵＥ）１４０２を含んでいる。例示するように、ＵＥ１４０２は、１または複数のノードＢ１４０４から信号を受信し、１または複数のアンテナ１４０８を介して１または複数のノードＢ１４０４へ送信しうる。さらに、ＵＥ１４０２は、アンテナ１４０８から情報を受け取る受信機１４１０を備えうる。一例において、受信機１４１０は、受け取った情報を復調する復調器（Ｄｅｍｏｄ）１４１２と動作可能に関連付けられうる。復調されたシンボルは、その後、プロセッサ１４１４によって分析されうる。プロセッサ１４１４は、ＵＥ１４０２に関連するプログラム・コードおよび／またはデータを格納するメモリ１４１６に接続されうる。さらに、ＵＥ１４０２は、方法論１１００および／またはその他類似および適切な方法論を実行するためにプロセッサ１４１４を適用しうる。ＵＥ１４０２はまた、アンテナ１４０８を介した送信機１４２０による送信のために、信号を多重化する変調器１４１８をも含みうる。
【００７５】
図１５は、アクノレッジメントの通信のためのリソースの割当を容易にする装置１５００を例示する。装置１５００は、プロセッサ、ソフトウェア、またはこれらの組み合わせ（例えば、ファームウェア）によって実現される機能を表す機能ブロックを含むものとして表されていることが認識されるべきである。装置１５００は、ノードＢ（例えば、ノードＢ４１０）および／またはその他任意の適切なネットワーク・エンティティ内に実装され、継続的なリソース割当を受信する端末を識別するためのモジュール１５０２と、通信リソースと対応するアクノレッジメント・リソースとがバンドルされた継続的な割当を通信するためのモジュール１５０４とを含みうる。
【００７６】
図１６は、受信したインデクス情報からのアクノレッジメントの通信のために使用されるリソースを決定することを容易にする装置１６００を例示する。装置１６００はまた、プロセッサ、ソフトウェア、またはこれらの組み合わせによって実現される機能を表す機能ブロックでありうる機能ブロックを含むものとしても表される。装置１６００は、ＵＥ（例えば、スケジュールされたＵＥ４３０）および／またはその他任意の適切なネットワーク・エンティティ内に実装され、基地局からの制御情報の一部としてインデクスを受信するためのモジュール１６０２と、制御送信で提供されたオフセットの識別を試みるためのモジュール１６０４と、受信したインデクスと、もしも存在するのであれば、受信したオフセットとに少なくとも部分的に基づいてアクノレッジメント・リソースを利用するためのモジュール１６０６とを含みうる。
【００７７】
本明細書に記載の態様は、ハードウェア、ソフトウェア、ファームウェア、ミドルウェア、マイクロコード、またはこれら任意の組み合わせによって実現されうることが理解されるべきである。システムおよび／または方法が、ソフトウェア、ファームウェア、ミドルウェアあるいはマイクロコード、プログラム・コードまたはコード・セグメントで実現される場合、それらは、例えばストレージ構成要素のような機械読取可能媒体内に格納されうる。コード・セグメントは、手順、関数、サブプログラム、プログラム、ルーチン、サブルーチン、モジュール、ソフトウェア・パッケージ、クラス、あるいは命令群からなる任意の組み合わせ、データ構造、またはプログラム・ステートメントを表しうる。コード・セグメントは、情報、データ、引数、パラメータ、またはメモリ・コンテンツの引渡しおよび／または受け取りによって、他のコード・セグメントまたはハードウェア回路へ接続されうる。情報、引数、パラメータ、データ等は、メモリ共有、メッセージ引渡し、トークン引渡し、ネットワーク送信等を含む任意の適切な手段を用いて引渡し、転送、または送信されうる。
【００７８】
ソフトウェアで実現する場合、これら本明細書に記載の技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサの内部に、あるいはプロセッサの外部に実装されうる。プロセッサの外部に実装される場合、当該技術において周知の様々な手段によってプロセッサと通信可能に結合されうる。
【００７９】
上述したものは、１または複数の態様の例を含む。もちろん、前述した態様を説明する目的の考えられる構成要素または方法論の全ての組み合わせを記述することは可能ではないが、当業者であれば、様々な態様のさらなる多くの組み合わせおよび置き換えが可能であることを認識しうる。したがって、記述した態様は、特許請求の範囲の精神および範囲にあるそのような全ての変更、修正、および変形を含むことが意図されている。さらに、用語「含む」（includes）が、詳細な記載または特許請求の範囲のいずれかにおいて使用されている限り、その用語は、用語「備える」（comprising）が、特許請求の範囲における遷移語として適用される場合に解釈されるように、用語「備える」と同様に包括的であることが意図される。さらに、詳細な記載または特許請求の範囲のいずれかにおいて使用されるように、用語「または」（or）は、「限定しないまたは」であることと意味される。
以下に、本願出願の当初の特許請求の範囲に記載された発明を付記する。
[Ｃ１]
無線通信システムにおけるユーザ機器（ＵＥ）のために、アップリンク・アクノレッジメント（ＡＣＫ）リソースを割り当てる方法であって、
継続的な通信リソースの割当が確立されるべきＵＥを識別することと、
前記識別されたＵＥによって使用されるアップリンクＡＣＫリソースを識別することと、
前記識別されたアップリンクＡＣＫリソースの割当を、継続的な通信リソースの割当とともに、前記ＵＥへ通信することと
を備える方法。
[Ｃ２]
前記通信することは、前記識別されたＡＣＫリソースに対応するアップリンクＡＣＫインデクスを、レイヤ２（Ｌ２）シグナリングによって、ダウンリンク制御チャネルで通信することを備えるＣ１に記載の方法。
[Ｃ３]
前記通信することは、前記識別されたＡＣＫリソースに対応するアップリンクＡＣＫインデクスを、レイヤ３（Ｌ３）シグナリングによって、ダウンリンク制御チャネルのメッセージで通信することを備えるＣ１に記載の方法。
[Ｃ４]
継続的なリソース割当を持つ１または複数のＵＥと、それぞれ制御チャネルによってスケジュールされた１または複数のＵＥとのために、アップリンクＡＣＫリソースを割り当てることをさらに備えるＣ１に記載の方法。
[Ｃ５]
前記割り当てることは、前記継続的なリソース割当を持つＵＥのためのアップリンクＡＣＫリソースのための第１のリソース・プールと、それぞれ制御チャネルによってスケジュールされたＵＥのためのアップリンクＡＣＫリソースのための第２のリソース・プールとを生成することを備えるＣ４に記載の方法。
[Ｃ６]
前記第１のリソース・プールを生成することは、前記第１のリソース・プールのために１または複数の全てのリソース・ブロックを割り当てることを備え、
前記第２のリソース・プールを生成することは、前記第２のリソース・プールのために１または複数の全てのリソース・ブロックを割り当てることを備えるＣ５に記載の方法。
[Ｃ７]
前記第１のリソース・プールを生成することは、前記第１のリソース・プールのためにＡＣＫリソースの第１の部分を割り当てることを備え、
前記第２のリソース・プールを生成することは、前記第２のリソース・プールのために、前記第１の部分とは別の前記ＡＣＫリソースの第２の部分を割り当てることを備えるＣ５に記載の方法。
[Ｃ８]
それぞれのＵＥへの継続的なリソース割当のための第１のインデクスを保持することと、
それぞれのＵＥをスケジュールするために利用される制御チャネルのための第２のインデクスを保持することと、
前記第１のリソース・プールおよび前記第２のリソース・プールをインデクスすることと、
少なくとも部分的に、ＵＥへの継続的なリソース割当、または、前記ＵＥをスケジュールする制御チャネルに関連付けられたインデクスを、前記第１のリソース・プール内のインデクス、または、前記第２のリソース・プール内のインデクスに一致させることによって、ＡＣＫリソースをＵＥへ割り当てることと
をさらに備えるＣ５に記載の方法。
[Ｃ９]
前記割り当てることは、継続的なリソース割当を持つＵＥと、それぞれ制御チャネルによってスケジュールされたＵＥとによって共有されるアップリンクＡＣＫリソースの共通のプールを生成することを備えるＣ４に記載の方法。
[Ｃ１０]
それぞれのＵＥへの継続的なリソース割当のための第１のインデクス・セットを保持することと、
それぞれのＵＥをスケジュールするために利用される制御チャネルのための第２のインデクス・セットを保持することと、
アップリンクＡＣＫリソースのプール内のそれぞれのアップリンクＡＣＫリソースをインデクスすることと
をさらに備えるＣ９に記載の方法。
[Ｃ１１]
少なくとも部分的に、前記第２のインデクス・セットに保持された制御チャネルのインデクスを前記ＵＥへ送信することによって、制御チャネルを用いてスケジュールされたＵＥへＡＣＫリソースを割り当てることをさらに備えるＣ１０に記載の方法。
[Ｃ１２]
少なくとも部分的に、それぞれ制御チャネルによってスケジュールされた無線通信システム内のＵＥに割り当てられたＡＣＫリソース量までオフセットされたＵＥへの継続的なリソース割当のインデクスに対応するインデクスを有するアップリンクＡＣＫリソースのプールから、ＡＣＫリソースを選択することによって、継続的なリソース割当を持つＵＥへＡＣＫリソースを割り当てることをさらに備えるＣ１０に記載の方法。
[Ｃ１３]
少なくとも部分的に、前記第２のインデクス・セットに保持された制御チャネルのインデクスと、それぞれ継続的なリソース割当を有するＵＥへ割り当てられたＡＣＫリソースのオフセット量とを前記ＵＥへ送信することによって、制御チャネルを用いてスケジュールされたＵＥへＡＣＫリソースを割り当てることをさらに備えるＣ１０に記載の方法。
[Ｃ１４]
少なくとも部分的に、前記ＵＥへの継続的なリソース割当のインデクスに対応するインデクスを有するアップリンクＡＣＫリソースのプールからＡＣＫリソースを選択することによって、ＡＣＫリソースを、継続的なリソース割当を持つＵＥに割り当てることをさらに備えるＣ１０に記載の方法。
[Ｃ１５]
無線通信装置であって、
アクノレッジメント（ＡＣＫ）リソースのセット、および、通信リソースが継続的に割り当てられるべき無線端末に関するデータを格納するメモリと、
前記無線端末によって使用されるべきＡＣＫリソースを、前記ＡＣＫリソースのセットから選択し、前記選択されたＡＣＫリソースと、ダウンリンク通信リソースとがバンドルされた継続的な割当を、前記無線端末へ通信するように構成されたプロセッサと
を備える無線通信装置。
[Ｃ１６]
前記プロセッサはさらに、前記バンドルされた継続的な割当を、レイヤ２（Ｌ２）シグナリングによって、ダウンリンク制御チャネルで通信するように構成されたＣ１５に記載の無線通信装置。
[Ｃ１７]
前記プロセッサはさらに、前記バンドルされた継続的な割当を、レイヤ３（Ｌ３）シグナリングによって、ダウンリンク・データ・チャネルにおけるメッセージで通信するように構成されたＣ１５に記載の無線通信装置。
[Ｃ１８]
前記プロセッサはさらに、継続的なリソース割当を持つ１または複数の無線端末と、対応する制御チャネルによって提供されるそれぞれのスケジュールにしたがって通信する１または複数の無線端末とのために、ＡＣＫリソースのセットから、ＡＣＫリソースを割り当てるように構成されたＣ１５に記載の無線通信装置。
[Ｃ１９]
前記プロセッサはさらに、継続的なリソース割当を持つ１または複数の無線端末のために、ＡＣＫリソースの第１のセットを割り当て、対応する制御チャネルによって提供されるそれぞれのスケジュールにしたがって通信する１または複数の無線端末のために、ＡＣＫリソースの第２のセットを割り当てるように構成されたＣ１８に記載の無線通信装置。
[Ｃ２０]
前記プロセッサはさらに、
継続的なリソース割当をそれぞれの無線端末へインデクスし、
それぞれの無線端末をスケジュールするために使用される制御チャネルをインデクスし、
ＡＣＫリソースの第１のセットと、ＡＣＫリソースの第２のセットとのための対応するインデクスを保持し、
少なくとも部分的に、前記無線端末に関連付けられた継続的なリソース割当または制御チャネルのインデクスを、前記ＡＣＫリソースの第１のセットまたは前記ＡＣＫリソースの第２のセットへ一致させることによって、ＡＣＫリソースを無線端末へ割り当てる
ように構成されたＣ１９に記載の無線通信装置。
[Ｃ２１]
前記プロセッサはさらに、継続的なリソース割当を持つ１または複数の無線端末と、対応する制御チャネルによって提供されたそれぞれのスケジュールにしたがって通信する１または複数の無線端末とのために、ＡＣＫリソースの共有されたセットを割り当てるように構成されたＣ１８に記載の無線通信装置。
[Ｃ２２]
前記プロセッサはさらに、
継続的なリソース割当を、それぞれの無線端末へインデクスし、
それぞれの無線端末をスケジュールするために使用される制御チャネルをインデクスし、前記ＡＣＫリソースの共有されたセットのための対応するインデクスを保持するように構成されたＣ２１に記載の無線通信装置。
[Ｃ２３]
前記メモリはさらに、制御チャネルによって提供されたスケジュールにしたがって通信する無線端末に関連するデータを格納するＣ２２に記載の無線通信装置。
[Ｃ２４]
前記メモリはさらに、それぞれの制御チャネルによってスケジュールされた無線通信システム内の無線端末の数と、継続的なリソース割当を持つ無線端末に関するデータを格納し、
前記プロセッサはさらに、それぞれの制御チャネルによってスケジュールされた無線端末の数に加えて、無線端末に割り当てられた継続的なリソース割当のインデクスに等しいＡＣＫリソースの共有されたセットから、前記無線端末のためのＡＣＫリソースを選択するように構成されたＣ２２に記載の無線通信装置。
[Ｃ２５]
前記メモリはさらに、制御チャネルによって提供されたスケジュールにしたがって通信する無線端末に関連するデータと、それぞれ継続的なリソース割当を有する無線通信システムにおける無線端末の数とを格納し、
前記プロセッサはさらに、それぞれ継続的なリソース割当を有する無線端末の数を、前記無線端末へ送信するように構成されたＣ２２に記載の無線通信装置。
[Ｃ２６]
前記メモリはさらに、継続的なリソース割当を有する無線端末に関するデータを格納し、
前記プロセッサはさらに、前記ＡＣＫリソースの共有されたセットから、前記無線端末のためのＡＣＫリソースを選択し、前記選択されたＡＣＫリソースを示すインジケーションを前記無線端末へ明示的にシグナルするように構成されたＣ２２に記載の無線通信装置。
[Ｃ２７]
無線通信システムにおいてアクノレッジメント・リソースの割当を容易にする装置であって、
継続的な通信リソースの割当が通信されるべきアクセス端末のためのアクノレッジメント・リソースを識別する手段と、
前記識別されたアクノレッジメント・リソースの明示的な割当を、継続的な通信リソースの割当を有するアクセス端末へ通信する手段と
を備える装置。
[Ｃ２８]
第１のリソース・プールから、継続的な通信リソースの割当を有するアクセス端末のためのアクノレッジメント・リソースを割り当てる手段と、
第２のリソース・プールから、スケジュールされたアクセス端末のためのアクノレッジメント・リソースを割り当てる手段と
をさらに備えるＣ２７に記載の装置。
[Ｃ２９]
共通のリソース・プールから、スケジュールされたアクセス端末と、継続的な通信リソースの割当を有するアクセス端末のうちの１または複数のためにアクノレッジメント・リソースを割り当てる手段をさらに備えるＣ２７に記載の装置。
[Ｃ３０]
コンピュータ読取可能媒体であって、
コンピュータに対して、無線通信システムにおけるユーザのためにアクノレッジメント（ＡＣＫ）リソースを割り当てさせるためのコードと、
コンピュータに対して、前記割り当てられたＡＣＫリソースのための割当を、前記ユーザのための継続的なリソース割当とバンドルさせるためのコードと
を備えるコンピュータ読取可能媒体。
[Ｃ３１]
前記コンピュータに対して、無線通信システムにおけるユーザのためにアクノレッジメント（ＡＣＫ）リソースを割り当てさせるためのコードは、
前記コンピュータに対して、スケジュールされたリソースを有するユーザのためにＡＣＫリソースを割り当てるために使用されるリソース・プールとは別のリソース・プールから、継続的に割り当てられたリソースを有するユーザのためのＡＣＫリソースを割当させるためのコードを備えるＣ３０に記載のコンピュータ読取可能媒体。
[Ｃ３２]
前記コンピュータに対して、無線通信システムにおけるユーザのためにアクノレッジメント（ＡＣＫ）リソースを割り当てさせるためのコードは、
前記コンピュータに対して、スケジュールされたリソースを有するユーザと、継続的に割り当てられたリソースを有するユーザとのためにＡＣＫリソースを割り当てるために使用されるリソース・プールから、継続的に割り当てられたリソースを有するユーザのためのＡＣＫリソースを割り当てさせるためのコードを備えるＣ３０に記載のコンピュータ読取可能媒体。
[Ｃ３３]
アップリンク・アクノレッジメント（ＡＣＫ）送信のためのリソースを調整するためのコンピュータ実行可能な命令群を実行する集積回路であって、
前記命令群は、
アップリンクＡＣＫ送信のためのリソースの１または複数のプールを識別することと、  ダウンリンク通信リソースが継続的に割り当てられるべきユーザ機器（ＵＥ）のために、アップリンクＡＣＫ送信のためのリソースを決定することと、
前記決定されたＡＣＫリソースを、ダウンリンク通信リソースのための継続的な割当を持つＵＥへ割り当てることと
を備える集積回路。
[Ｃ３４]
前記識別することは、
それぞれ継続的なリソース割当を持つ１または複数のＵＥに対応するアップリンクＡＣＫ送信のための第１のリソースのプールを識別することと、
それぞれスケジュールされたリソースを利用する１または複数のＵＥに対応するアップリンクＡＣＫ送信のための第２のリソースのプールを識別することと
を備えるＣ３３に記載の集積回路。
[Ｃ３５]
前記識別することは、それぞれ継続的なリソース割当を有する１または複数のＵＥと、それぞれスケジュールされたリソースを利用する１または複数のＵＥとに対応するアップリンクＡＣＫ送信のためのリソースのプールを識別することを備えるＣ３３に記載の集積回路。
[Ｃ３６]
無線通信システムにおいて割り当てられたアクノレッジメント・リソースを識別する方法であって、
ノードＢから受信した情報からインデクスを受け取ることと、
前記ノードＢから受信した情報からオフセットを識別することと、
前記識別されたオフセットに、前記受け取られたインデクスが加えられたものに対応するインデクスを有する、インデクスされたアクノレッジメント・プールにおけるアクノレッジメント・リソースを利用するアクノレッジメント通信を設定することと
を備える方法。
[Ｃ３７]
前記インデクスされたアクノレッジメント・リソースのプールは、
それぞれスケジュールされたダウンリンク通信に応答するアクノレッジメント送信のためのリソースと、
それぞれスケジュールされていないダウンリンク通信に応答するアクノレッジメント送信のためのリソースと
を備えるＣ３６に記載の方法。
[Ｃ３８]
前記識別することは、継続的なリソース割当を有する無線通信システム内のユーザの数を識別することを備えるＣ３６に記載の方法。
[Ｃ３９]
前記受信することは、１または複数の制御チャネルを介して前記ノードＢから情報を受信することを備えるＣ３６に記載の方法。
[Ｃ４０]
無線通信装置であって、
アクセス・ポイントから受信したインデクス・オフセットとインデクスに関連するデータを格納するメモリと、
前記インデクスと前記インデクス・オフセットとを加え、その結果得られるインデクスを取得し、前記得られたインデクスに対応する割り当てられたアクノレッジメント・リソースのセットからのアクノレッジメント・リソースを利用するように構成されたプロセッサと
を備える無線通信装置。
[Ｃ４１]
前記割り当てられたアクノレッジメント・リソースのセットは、それぞれスケジュールされたダウンリンク通信のためのアクノレッジメント・リソースと、それぞれスケジュールされていないダウンリンク通信のためのアクノレッジメント・リソースとで共有されるＣ４０に記載の無線通信装置。
[Ｃ４２]
前記インデクス・オフセットは、それぞれ前記アクセス・ポイントとのスケジュールされていないダウンリンク通信を行う無線通信システム内のユーザの数を備えるＣ４０に記載の無線通信装置。
[Ｃ４３]
前記プロセッサはさらに、ダウンリンク制御チャネルによって前記アクセス・ポイントからインデクス・オフセットを受信するように構成されたＣ４０に記載の無線通信装置。
[Ｃ４４]
無線アクセス・ポイントとの通信のためのアップリンク・アクノレッジメント（ＡＣＫ）リソースを決定することを容易にする装置であって、
無線アクセス・ポイントから受信した情報から、継続的に割り当てられたユーザの数とインデクスとを受け取る手段と、
少なくとも部分的に、前記受け取られた継続的に割り当てられたユーザの数とインデクスとを加えたものに対応するインデクスを有するリソース・プールから、ＡＣＫリソースを識別することによって、前記無線アクセス・ポイントとの通信のためのアップリンクＡＣＫリソースを決定する手段と
を備える装置。
[Ｃ４５]
コンピュータ読取可能媒体であって、
コンピュータに対して、ノードＢによって通信されたインデクスを識別させるためのコードと、
コンピュータに対して、前記ノードＢによって通信されたオフセット値を識別させるためのコードと、
コンピュータに対して、前記識別されたインデクスを、前記識別されたオフセット値オフセットさせ、オフセット・インデクスを生成させるためのコードと、
コンピュータに対して、前記オフセット・インデクスに少なくとも部分的に基づいて、アクノレッジメント送信のためのリソースを利用させるためのコードと
を備えるコンピュータ読取可能媒体。
[Ｃ４６]
無線通信システムにおいてアップリンク・アクノレッジメント（ＡＣＫ）通信のために割り当てられたラジオ・スペクトルを識別するためのコンピュータ実行可能な命令群を実行する集積回路であって、
前記命令群は、
ラジオ・スペクトルの割り当てられたサブセットに対応するインデクスを受信することと、
前記無線通信システムにおいて存在する継続的なリソース割当に関する情報を受信することと、
前記受信したインデクスを、前記無線通信システムにおける継続的なリソース割当に関する情報に基づいてオフセットして、アップリンクＡＣＫ通信のためのラジオ・スペクトルの割り当てられたサブセットに対応するインデクスを取得することと
を備える集積回路。
【図１】
0005450679.tif 000002
【図２】
0005450679.tif 000003
【図３】
0005450679.tif 000004
【図４】
0005450679.tif 000005
【図５】
0005450679.tif 000006
【図６】
0005450679.tif 000007
【図７】
0005450679.tif 000008
【図８】
0005450679.tif 000009
【図９】
0005450679.tif 000010
【図１０】
0005450679.tif 000011
【図１１】
0005450679.tif 000012
【図１２】
0005450679.tif 000013
【図１３】
0005450679.tif 000014
【図１４】
0005450679.tif 000015
【図１５】
0005450679.tif 000016
【図１６】
0005450679.tif 000017